(57)【要約】【課題】通気孔を備えた鼻隠し化粧板を軒先に取り付けて屋根裏空間を換気する軒先構成体において、通気孔から軒先内部に雨水が浸入して軒先構成部材に付着すること、及び雨水を外部に確実に排出して軒先内部に滞留することを防止する。【解決手段】鼻隠し化粧板７の底面部７２に形成された通気孔７２ｃから外気を屋根裏空間９に流入させる軒先構成体６において、家屋側の端部８１を下向きに折り曲げた水切り板８１を鼻隠し下地材２の下部に取り付けて覆い、この水切り板８の折れ部８１側の端部を、通気孔７２ｃの上方であって通気孔７２ｃよりも家屋側に寄った位置に配置して、雨水が屋根裏空間９内に流入することを防止する。【選択図】図５
2015034409.tif 000002
【特許請求の範囲】
【請求項１】
鼻隠し下地材に取り付けた鼻隠し化粧板で当該鼻隠し下地材の下部を囲い、前記鼻隠し化粧板の底面部に形成された通気孔を介して家屋の外側と屋根裏空間とを連通させた構成を有する軒先構成体において、
家屋側の端部を下向きに折り曲げた水切り板を前記鼻隠し下地材に取り付けて鼻隠し下地材の下部を水切り板で覆うとともに、この水切り板の前記折り曲げた側の端部を、前記鼻隠し化粧板に形成された通気孔の上方であって通気孔よりも家屋側に寄った位置に配置した構成を有することを特徴とする軒先構成体。
【請求項２】
鼻隠し化粧板は、鼻隠し下地材の前面に取り付け固定される前側取り付け面部と、前側取り付け面部の下端部で後方へ屈曲した折れ面部と折れ面部の端部から斜め上方へ折れた傾斜面部を有する底面部と、底面部の端部で上方へ折れていて軒天留付材に取り付け固定される後側取り付け面部とを有し、前記底面部の傾斜面部の面内に細幅の通気孔を並設して形成された構成を有することを特徴とする請求項１に記載の軒先構成体。
【請求項３】
鼻隠し化粧板の底面部の面内に、鼻隠し化粧板の内部に浸入した雨水を排出するための排水孔を複数設けて、鼻隠し化粧板が形成された構成を有することを特徴とする請求項１又は２に記載の軒先構成体。
【発明の詳細な説明】
【技術分野】
【０００１】
本発明は、通気孔を備えた鼻隠し化粧板を軒先に取り付け、前記通気孔を通して家屋の屋根裏の空間を換気することができるように構成された軒先構成体に関する。
【背景技術】
【０００２】
軒先に取り付ける化粧板に通気孔を設けて屋根裏空間の換気を行えるようにした軒先構成体として、例えば図８に示されるように、鼻隠し下地材１００に取り付けられる鼻隠し化粧板１０１の取り付け面部１０２の下端に断面上向きコ字形に屈曲した換気室１０３を設け、この換気室１０３で鼻隠し下地材１００の下部を囲うとともに、換気室１０３の家屋側の壁面部１０４に形成された複数の通気孔１０５を通して屋根裏空間１０６に外気を取り入れることができるようにした構造のものが知られている（例えば特許文献１参照）。
【０００３】
また、図９に示されるように、鼻隠し化粧板１０１の換気室１０３内であって、通気孔１０５と屋根裏空間１０６とを結ぶ通気路上に熱発泡材１０７を設置し、火災発生時に火炎の熱により熱発泡材１０７が膨張することで、前記通気路を閉鎖して延焼を防止するようにした構造のものが知られている（例えば特許文献２参照）。
【先行技術文献】
【特許文献】
【０００４】
【特許文献１】特開２００３−１５５８０９号公報
【特許文献２】特開２００７−２０４９７０号公報
【発明の概要】
【発明が解決しようとする課題】
【０００５】
換気機能を備えた従来の軒先構造は、鼻隠し化粧板１０１の家屋側に面した壁面部１０４に通気孔１０５が形成されているので、軒下から軒先部分を見上げたときに通気孔１０５が目立たず、外気を通気孔１０５から屋根裏空間１０６に取り入れて換気することが可能である。
しかし、台風などの風雨が強い天候のときには、強風に煽られた雨水が家屋の外壁にぶつかったり廻り込んだりして、通気孔１０５から鼻隠し化粧板１０１の内側に浸入することがある。また、風雨によらなくとも、濃霧が発生しやすい季節や地域では、霧が通気孔１０５から入り込んで鼻隠し化粧板１０１の内側を濡らすことがある。
【０００６】
前記の通り、通気孔１０５は家屋側に向けて開口しているので雨水や霧が大量に入り込むことはない。しかし、少量であっても、通気孔１０５から浸入した雨水が鼻隠し化粧板１０１で囲われた鼻隠し下地材１００の表面に付着して鼻隠し下地材１００の劣化を早めたり、鼻隠し下地材１００の表面を伝い落ちて鼻隠し化粧板１０１の内面に滞留して、鼻隠し化粧板１０１を内側から腐食させたりすることがある。
通気孔１０５が屋外に露出している以上、通気孔１０５から軒先の内部に雨水が浸入することは避けられないが、雨水の付着や滞留による軒先構成部材の劣化や腐食の進行を抑止するには、雨水が軒先構成部材に付着したり内部に滞留したりすることがないような手段を軒先内部に講じておくことが肝要である。
【０００７】
本発明は従来の技術の有するこのような問題点に鑑み、通気孔を備えた鼻隠し化粧板を軒先に取り付けて屋根裏空間を換気することができるように構成された軒先構成体において、通気孔から軒先内部に雨水が浸入した際に、鼻隠し下地材などの軒先構成部材への雨水の付着を防止するとともに、雨水を外部に確実に排出して軒先内部に滞留させることがないようにすることを課題とする。
【課題を解決するための手段】
【０００８】
前記課題を解決するため本発明は、鼻隠し下地材に取り付けた鼻隠し化粧板で当該鼻隠し下地材の下部を囲い、前記鼻隠し化粧板の底面部に形成された通気孔を介して家屋の外側と屋根裏空間とを連通させた構成を有する軒先構成体において、
家屋側の端部を下向きに折り曲げた水切り板を前記鼻隠し下地材に取り付けて鼻隠し下地材の下部を水切り板で覆うとともに、この水切り板の前記折り曲げた側の端部を、前記鼻隠し化粧板に形成された通気孔の上方であって通気孔よりも家屋側に寄った位置に配置した構成を有することを特徴とする。
【０００９】
前記構成の軒先構成体によれば、鼻隠し化粧板に設けた通気孔と屋根裏空間との間に通気路が形成され、外気を通気孔から屋根裏空間に取り入れて、屋根裏空間を換気することができる。
風雨が強いときなどに通気孔から雨水が浸入することがあるが、鼻隠し下地材に水切り板を取り付けて鼻隠し下地材の下部を水切り板で覆ってあるので、通気孔から鼻隠し化粧板の内部に浸入した雨水が鼻隠し下地材の下部に付着して鼻隠し下地材を劣化させることはない。また、水切り板はその折れ部側の端部が通気孔よりも家屋側に寄った位置に配置されているので、強風により噴霧状の雨水が通気孔から浸入しても、その殆どが水切り板に衝突して屋根裏空間へと入り込むことを防ぎ、軒先構成部材の雨水の付着による劣化や腐食の進行を抑えることができる。
【００１０】
前記構成の軒先構成体において、鼻隠し化粧板は、鼻隠し下地材の前面に取り付け固定される前側取り付け面部と、前側取り付け面部の下端部で後方へ屈曲した折れ面部と折れ面部の端部から斜め上方へ折れた傾斜面部を有する底面部と、底面部の端部で上方へ折れていて軒天留付材に取り付け固定される後側取り付け面部とを有し、前記底面部の傾斜面部の面内に細幅の通気孔を並設して形成された構成を有することが好ましい。
【００１１】
前記構成の軒先構成体によれば、鼻隠し化粧板は、その前側取り付け面部を鼻隠し下地材に、後側取り付け面部を軒天留付材にそれぞれ取り付けて軒先に固定され、これら前後の両取り付け面部とその間の通気孔付きの底面部により鼻隠し下地材の下部を囲う換気室を形成し、通気孔から換気室内に取り入れられた外気は、換気室から通気路を通って屋根裏空間へと送られる。
鼻隠し化粧板の底面部は、後方へ屈曲した折れ面部と斜め上方へ折れた傾斜面部により形成されており、通気孔は家屋側に面した傾斜面部の面内に形成されているので、軒下から軒先を見上げたときに通気孔が目立たず、また、鼻隠し化粧板の表面を伝う雨水が傾斜面部に回り込んで通気孔から化粧板内部に入り込むことはない。
通気孔は傾斜面部の面内に当該化粧板の長手方向に沿って細幅に複数並設させて形成してあるので、通気孔から化粧板内に雨水が浸入しても、雨水は傾斜面部の内面を伝いつつ通気孔から外部に排出されて、化粧板の内部に滞留することはない。
【００１２】
さらに前記構成の軒先構成体において、鼻隠し化粧板の底面部の面内に、鼻隠し化粧板の内部に浸入した雨水を排出するための排水孔を複数設けて、鼻隠し化粧板が形成された構成を有することが好ましい。
【００１３】
前記構成の軒先構成体によれば、鼻隠し化粧板の底面部に複数の排水孔を設けてあるので、通気孔から化粧板の内側に雨水が浸入しても雨水は排水孔から外部へと排出され、化粧板の内部に滞留することはない。
鼻隠し化粧板の底面部を折れ面部と通気孔が並設された傾斜面部により形成する場合、排水孔は折れ面部の面内に形成することができ、前述の如く化粧板内に浸入した雨水が通気孔から排出されることと相俟って排水孔からも雨水が排出されることにより、化粧板の内部に雨水が滞留することを確実に防止することができる。
【図面の簡単な説明】
【００１４】
【図１】本発明の一実施形態の軒先構成体を取り付けた屋根の軒先の断面構成図である。
【図２】図１の軒先構成体の鼻隠し化粧案の横断面図（Ａ）と要部下面図（Ｂ）である。
【図３】図２の鼻隠し化粧板の通気孔を形成した部分の拡大図である。
【図４】図１の軒先構成体の水切り板の断面図である。
【図５】図１の軒先構成体の取り付け部を拡大して示した図である。
【図６】本発明の軒先構成体を取り付けた他の軒先の断面構成図である。
【図７】本発明の軒先構成体を取り付けたさらに他の軒先の断面構成図である。
【図８】換気機能を備えた従来の軒先構成体を取り付けた軒先の断面構成図である。
【図９】従来の他の軒先構成体を取り付けた軒先の断面構成図である。
【発明を実施するための形態】
【００１５】
本発明の好適な実施形態を、図面を参照して説明する。
図１〜図４は本発明の一実施形態の軒先構成体を取り付けた家屋の軒先を示しており、これは軒先部材である鼻隠し下地材２に沿って軒樋支持具３で軒樋４が支持されているととともに、屋根側端部に沿って破風化粧板５が取り付けられた軒先１に本形態の軒先構成体６を取り付けて、屋根裏空間９の換気が行えるように構成されたものである。同図中、符号１０，１１はそれぞれ軒天部材である軒天板と軒天留付材である。
【００１６】
本形態の軒先構成体６は、鼻隠し化粧板７と水切り板８からなり、ともに例えば表面を塩化ビニル樹脂で覆うなどの耐蝕加工が施された被覆鋼板や、亜鉛鋼板などの耐蝕・耐火性を有する長尺の鋼板を、鼻隠し下地材２に沿った長さでその長手方向に沿ってベンダーなどで折り曲げて形成されている。両部材を構成する鋼板としては、例えば厚み０．４ｍｍの鋼板の表面を０．２５ｍｍ厚の塩化ビニル樹脂シートで被覆し、裏面を０．１ｍｍ厚の塩化ビニル樹脂シートで被覆した樹脂被覆鋼板が好適である。
【００１７】
鼻隠し化粧板７は、図２に示されるように、鼻隠し下地材２の前面２１に接合して当該前面を覆うとともにビスや釘などの固着具１２を打ち込んで一体に取り付け固定される前側取り付け面部７１と、前側取り付け面部７１の下端部から後方へ折れ曲がった底面部７２と、底面部７２の後端部から上方へ折れていて先端部分を軒天留付材１１に接合して固着具１２により一体に取り付け固定される後側取り付け面部７３との各面部を有して形成してある。
【００１８】
より詳しくは、前側取り付け面部７１の上部には先端を軒先側斜め下方へ傾斜させて折り曲げた係止片７１ａが設けられ、下部には軒先側下方へ折れた前方傾斜部７１ｂと前方傾斜部７１ｂの前端から下方へ折れた前面部７１ｃが設けられており、この前面部７１ｃの下端部に後方へ折れた底面部７２を連ねてある。
【００１９】
底面部７２は、前記前面部７１ｃの下端部から後方へ略直角に屈曲した折れ面部７２ａと、折れ面部７２ａの端部から斜め上方へ折れた傾斜面部７２ｂからなり、傾斜面部７２ｂの面内にはその長手方向に沿って細幅の通気孔７２ｃを適宜な間隔を開けて複数並設してある。
【００２０】
各通気孔７２ｃは、図３に示されるように、スリット加工により、傾斜面部７２ｂの面内であって、両側に切れ目を入れて細幅矩形状に縁取った部分を外側から内側へ短冊状に凹ませてなる凹段部７２ｃ１となっており、この凹段部７２ｃ１の両側の段差部分にできる隙間７２ｃ２を通して外気を鼻隠し化粧板７内に取り込めるように設けてある。
また、通気孔７２ｃの隙間７２ｃ２は凹段部７２ｃ１の両側に位置しているため、風雨が通気孔７２に吹き付けたときに、凹段部７２ｃ１の表面が雨水を遮蔽する遮蔽板として機能し、凹段部７２ｃ１に衝突した雨水がその表面に付着し水滴となって下方へ流れ落ち、通気孔７２ｃから鼻隠し化粧板７の内部への雨水の浸入を抑止して、隙間７２ｃ２から外気を効率的に流入させることができるようになっている。また、通気孔７２ｃは傾斜面部７２ｂに形成してあるので、仮に通気孔７２ｃから鼻隠し化粧板７内に雨水が浸入しても、雨水は傾斜面部７２ｂの内面を伝い下方へ流れ落ちて通気孔７２ｃから外部へと排出されるようになっている。
【００２１】
また、図２に示されるように、底面部７２の折れ面部７２ａの面内には、その長手方向に沿って小径の排水孔７２ｄが適宜宜な間隔を開けて複数形成してあり、通気孔７２ｃから鼻隠し化粧板７内に雨水が浸入した場合に、排水孔７２ｄから外部に排出することができるようになっている。
【００２２】
後側取り付け面部７３は、底面部７２の後端部から上方へ屈曲した上方折れ部７３ａと、上方折れ部７３ａの上端を前方へ折り返してなる凹段部７３ｂと、凹段部７３ｂの上端から後方斜め上方へ突出した接合片部７３ｃからなり、軒天留付材１１の傾斜した下面に前記接合片部７３ｃを接合し、重合部分に固着具１２を打ち込んで固定されるように設けてある。
【００２３】
水切り板８は、図４に示されるように、鼻隠し下地材２の下面２２の前後幅よりも若干幅広に形成された板材の一側に、下向きに鋭角に折り曲げた折れ部８１を設けて形成してある。
【００２４】
軒先構成体６の軒先１への取り付けは、先ず、水切り板８を、折れ部８１が形成された側の端部を家屋側に向け、他端部を鼻隠し下地材２の下面２２の前側縁部沿わせて当該下面２２の全体に重ねた状態で、重合部分に固着具１２を打ち込んで鼻隠し下地材２の下面２２に固定し、次いで、鼻隠し化粧板７の前側取り付け面部７１を鼻隠し下地材２の前面２１に、後側取り付け面部７３の接合片部７３ｃを軒天留付材１１の下面にそれぞれ宛がい、重合部分に固着具１２を打ち込んで、鼻隠し化粧板７を固定することにより行われる。
図５に示されるように、軒先１に取り付けられた軒先構成体６は、下面２２に水切り板８が取り付けられた鼻隠し下地材２の下部を、鼻隠し化粧板７の前側取り付け面部７１，底面部７２及び後側取り付け面部７３の各面部で囲い、鼻隠し下地材２の下側に中空な換気室を形成し、この換気室内で水切り板８は、その折れ部８１が前記傾斜面部７２ｂに設けられた通気孔７２ｃの直上よりも家屋側に寄った位置に配置される。
【００２５】
そして、図１に示されるように、鼻隠し化粧板７の前側取り付け面部７１に軒樋吊具３を取り付けて軒樋４を支持させた後、野地板の上面をルーフティングで覆って防水した上で屋根材、さらには破風化粧板５を取り付け、また、鼻隠し化粧板７の後側取り付け面部７３の凹段部７３ｂに軒天板１０の端部を係合させて軒下に軒天板１０を取り付けることにより軒先１の造作が完了する。
【００２６】
このように構成される本形態の軒先構成体６によれば、鼻隠し化粧板７の取り付けにより鼻隠し下地材２の下部に通気孔７２ｃを備えた換気室が形成され、図５に示されるように、通気孔７２ｃから内部に外気を取り入れ、これを換気室と屋根裏空間９とを連絡する通気路を通して屋根裏空間９へと流入させて、屋根裏空間９を換気することができる。
【００２７】
風雨が強いときなどに通気孔７２ｃから雨水が浸入することがあるが、鼻隠し下地材２の下面２２が水切り板８で覆われているので、浸入した雨水が鼻隠し下地材２の下面２２に付着して劣化させることはなく、また、水切り板８はその折れ部８１が通気孔７２ｃよりも家屋側に寄った位置に配置されているので、強風により噴霧状の雨水が通気孔７２ｃから浸入しても、その殆どが水切り板８に衝突して屋根裏空間９へと入り込むことを防ぎ、軒先１を構成する部材の雨水の付着による劣化や腐食の進行を抑えることができる。
【００２８】
また、通気孔７２ｃは、鼻隠し化粧板７の家屋側に面した傾斜面部７２ｂの面内に形成されているので、軒下から軒先を見上げたときに通気孔７２ｃが目立たず、また、通気孔７２ｃから内部に雨水が浸入しても、雨水は傾斜面部７２ｂｃの内面を伝って通気孔７２ｃから外部に排出される。
さらに、鼻隠し化粧板７の底面部７２に排水孔７２ｄを複数設けてあるので、通気孔７２ｃから内部に雨水が浸入しても、雨水は排水孔７２ｄから外部へと排出されるので、鼻隠し化粧板７の内部に雨水が滞留することはなく、滞留により化粧板内部が腐蝕するようなこともない。
【００２９】
図６は本発明の軒先構成体６を取り付けた他の軒先１の構成を示しており、これは、前記形態の軒樋４に代えて、鼻隠し化粧板７の前面に鼻隠し１３を取り付けた構成のものである。
また、図７はさらに他の軒先１の構成を示しており、これは、軒の出が比較的短い軒下に軒天板１０を水平に取り付ける形態に対応させて、水平な軒天板１０の端部が係合するように鼻隠し化粧板７の後側取り付け面部７３を形成した構成のものである。
【００３０】
なお、図示した軒先構成体６、鼻隠し化粧板７及び水切り板８は、本発明の実施形態の一例を示すものであり、本発明はこれらに限定されず、取り付ける軒先や屋根の形態、寸法などに応じて、他の適宜な形態で構成することが可能である。鼻隠し化粧板７と水切り板８は、複数の部材を組み合わせ、連結するなどして構成されていてもよい。
【符号の説明】
【００３１】
１  軒先、２  鼻隠し下地材、３  軒樋吊り具、４  軒樋、５  破風化粧板、６  軒先構成体、７  鼻隠し化粧板、７１  前側取り付け面部、７２  底面部、７２ａ  折れ面部、７２ｂ  傾斜面部、７２ｃ  通気孔、７２ｄ  排水孔、７３  後側取り付け面部、８  水切り板、９  屋根裏空間、１０  軒天板、１１  軒天留付材、１３  固着具、１３  鼻隠し
【図１】
2015034409.tif 000003
【図２】
2015034409.tif 000004
【図３】
2015034409.tif 000005
【図４】
2015034409.tif 000006
【図５】
2015034409.tif 000007
【図６】
2015034409.tif 000008
【図７】
2015034409.tif 000009
【図８】
2015034409.tif 000010
【図９】
2015034409.tif 000011